(57)【要約】【課題】予備暖房機能を搭載したシャワー装置を提供することを目的とする。【解決手段】本体５の両側にアーム６を設け、アーム６の１面に使用者の身体に向けて湯水で包み込むように噴霧する第１の噴霧ノズル９と、他の面に浴室空間に向けて湯水を噴霧する第２の噴霧ノズル１１を設けることにより、第２のノズル１１より浴室空間に向けて湯水を噴霧することにより、浴室空間全体の予備暖房を行うことができるものである。【選択図】図１
2006271445.tif 000002
【特許請求の範囲】
【請求項１】
本体の両側にアームを設け、前記アームの１面に使用者の身体に向けて湯水で包み込むように噴霧する第１の噴霧ノズルを設け、前記アームの他の面に浴室空間に向けて湯水を噴霧する第２の噴霧ノズルを設けたシャワー装置。
【請求項２】
アームは第２の噴霧ノズルからの噴霧時に、自動的に上下に回動する構成の請求項１に記載のシャワー装置。
【請求項３】
第２の噴霧ノズルからの噴霧後に、第１の噴霧ノズルから一定時間噴霧を行う請求項１または２に記載のシャワー装置。
【請求項４】
給水、給湯配管からの水と湯を混合する湯水混合部と、混合した湯水の供給を制御する主電磁弁を介して流調止水弁と排水電磁弁を並列に接続し、流調止水弁から第１のシャワー電磁弁を介して第１の噴霧ノズルと、第２のシャワー電磁弁を介して第２の噴霧ノズルを並列に接続する構成とし、前記第２の噴霧ノズルから高温水を噴霧した直後に、前記第２の噴霧ノズルから前記第１の噴霧ノズルに噴霧を切り替える場合は、前記排水電磁弁から高温水を排水した後、第１の噴霧ノズルから噴霧を開始する構成の請求項１または２に記載のシャワー装置。
【発明の詳細な説明】
【技術分野】
【０００１】
本発明は浴室で使用するシャワー装置に関するものである。
【背景技術】
【０００２】
従来、この種のシャワー装置は本体の両側にアームを設けアームの人体方向面に噴霧ノズルを設け人体を噴霧湯水で包み込んでシャワーを楽しむ構成であった（例えば、特許文献１参照）。
【０００３】
図６は、特許文献１に記載された従来のシャワー装置を示すものである。
【０００４】
図６に示すように本体１の両側にアーム２を設け、入浴者に対向したアームの面に噴霧ノズル３を設け、入浴者の身体４を噴霧湯水で包み込んでシャワーを楽しむ構成であった。
【特許文献１】特開平１０−１５５８６０号公報
【発明の開示】
【発明が解決しようとする課題】
【０００５】
しかしながら、前記従来の構成では、冬場に最初に浴室に入室した時に浴室が寒いという課題を有していた。
【０００６】
本発明は、前記従来の課題を解決するもので、予備暖房機能を搭載したシャワー装置を提供することを目的とする。
【課題を解決するための手段】
【０００７】
前記従来の課題を解決するために、本発明のシャワー装置は本体の両側にアームを設け、アームの１面に使用者の身体に向けて湯水で包み込むように噴霧する第１の噴霧ノズルと、他の面に浴室空間に向けて湯水を噴霧する第２の噴霧ノズルを設けることにより、第２のノズルより浴室空間に向けて湯水を噴霧することにより、浴室空間全体の予備暖房を行うことができるものである。
【発明の効果】
【０００８】
本発明のシャワー装置は、冬場に最初に浴室に入室した時も浴室が暖かく快適にシャワー入浴を楽しむことができる。
【発明を実施するための最良の形態】
【０００９】
第１の発明は、本体の両側にアームを設け、前記アームの１面に使用者の身体に向けて湯水で包み込むように噴霧する第１の噴霧ノズルを設け、前記アームの他の面に浴室空間に向けて湯水を噴霧する第２の噴霧ノズルを設けることにより、第２のノズルより浴室空間に向けて湯水を噴霧することにより、浴室空間全体の予備暖房を行うことができるので、使用者は寒さを感じることがなく快適にシャワー浴を行うことができるものである。
【００１０】
第２の発明は、特に、第１の発明のアームが第２の噴霧ノズルからの噴霧時に、自動的に上下に回動する構成とすることにより浴室空間を短期間にかつ均一に予備暖房することができる。
【００１１】
第３の発明は、特に、第１または第２の発明において第２の噴霧ノズルからの噴霧後に、第１の噴霧ノズルから一定時間噴霧を行うことにより、シャワー浴開始時に第１の噴霧ノズルの近傍に滞留した冷水を浴びることがないため、快適にシャワー浴を行うことができる。
【００１２】
第４の発明は、第１または第２の発明において、給水、給湯配管からの水と湯を混合する湯水混合部と、混合した湯水の供給を制御する主電磁弁を介して流調止水弁と排水電磁弁を並列に接続し、流調止水弁から第１のシャワー電磁弁を介して第１の噴霧ノズルと、第２のシャワー電磁弁を介して第２の噴霧ノズルを並列に接続する構成とし、前記第２の噴霧ノズルから高温水を噴霧した直後に、前記第２の噴霧ノズルから前記第１の噴霧ノズルに噴霧を切り替える場合は、前記排水電磁弁から高温水を排水した後、第１の噴霧ノズルから噴霧を開始する構成により使用者が高温水を浴びないため安全である。
【００１３】
以下、本発明の実施の形態について、図面を参照しながら説明する。なお、この実施の形態によって本発明が限定されるものではない。
【００１４】
（実施の形態１）
図１は、本発明の第１の実施の形態におけるシャワー装置の斜視図を示し、使用者が座ってシャワーを浴びる場合のアームを上げた状態を示し、図２は浴室を予備暖房する場合のアームを収納した状態を示し、図３は浴室を予備暖房する場合のアームを上げた状態を示し、図４はアームを上下に回動する駆動機構を示、図５はシャワー装置の水回路のブロック図を示すものである。
【００１５】
図１に示すように、シャワー装置の本体５の両側にアーム６が上下方向に回動自在に設けてあり、左右のアーム６はアーム軸７により連接しており、左右同時に回動する構成となっている。
【００１６】
着座手段８に着座した入浴者の身体に向くアーム６の裏面には複数の第１の噴霧ノズル９が配設してある。前記アーム６を入浴者の体格に合わせて上下に回動調整することにより入浴者の身体を包み込むように噴霧湯水１０が噴霧できる。また第１の噴霧ノズル９も個別に可動するため使用者の好みの位置に調整することができる。
【００１７】
前記第１の噴霧ノズル９は一般のシャワーノズルより穴径を小さくし、しかも旋回して噴出する構成となっており粒子の小さい霧状の噴霧温水１０が噴霧できる。
【００１８】
また、図２、図３に示すように浴室空間に向くアーム６の表面には複数の第２の噴霧ノズル１１が配設してあり浴室空間に向けて高温温水１２を噴霧することができ、浴室空間に高温温水１２を噴霧するときは、アーム６は図４に示すステッピングモータ１３と歯車１４でアーム軸７を回動させることにより自動的に上下に回動することができる構成である。また上記高温温水１２を浴室空間に噴霧する操作はリモコン１５で浴室ドア付近から操作可能としてある。
【００１９】
図５は本実施の形態における水回路のブロック図を示すものであり、給水配管１６、給湯配管１７からの水と湯を混合する湯水混合部１８と混合された湯水を主電磁弁１９を介して流調止水弁２０に接続すると共に排水電磁弁２１に接続し、流調止水弁２０から第１のシャワー電磁弁２２を介して第１の噴霧ノズル９に接続すると共に第２のシャワー電磁弁２３を介して第２の噴霧ノズル１１に接続する構成とする。流調止水弁２０は弁を止水位置から流量全開位置まで回転制御させる構造である。
【００２０】
第１の噴霧ノズル９から噴霧湯水１０を噴霧する場合は第１のシャワー電磁弁２２をＯＮし、流調止水弁２０を開側に回転して主電磁弁１９をＯＮする。第２の噴霧ノズル１１から高温温水１２を噴霧する場合は第２のシャワー電磁弁２３をＯＮし流調止水弁２０を開側に回転して主電磁弁１９をＯＮする。
【００２１】
以上のように構成されたシャワー装置について、以下その動作、作用を説明する。
【００２２】
まずシャワー浴を始める前に浴室を予備暖房をすることにより快適な浴室空間を得るためにリモコン１５を操作することにより、第２のシャワー電磁弁２３がＯＮし、流調止水弁２０が開側に回転して主電磁弁１９がＯＮすることにより、第２の噴霧ノズル１１より高温温水１２を浴室空間に噴霧し始め、それと同時にアーム６が自動的に上下に回動を始め、浴室空間全体に高温温水１２を噴霧することにより浴室空間全体を快適な温度に上昇する。高温温水１２の温度は６０℃程度であり浴室を短時間で暖房することができる。
【００２３】
予備暖房が終了した時点でリモコン操作により高温温水１２の噴霧を停止させると、第１の噴霧ノズル９から噴霧温水１０が自動的に噴霧を開始し一定時間噴霧後に自動的に停止する。この作動により第１の噴霧ノズル９の流路に残留していた冷たい残留水が噴霧排出されるとともに、暖かい温水が第１の噴霧ノズル９から噴霧されるため、シャワー装置の本体５や着座手段８も温められ、第１の噴霧ノズル９を使用するシャワー浴の始めから快適に使用することができる。
【００２４】
上記予備暖房終了後入浴者は着座手段８に着座し、第１の噴霧ノズル９から噴霧する噴霧温水１０を主に使用者の肩から下の部分に当たるようにアーム６の角度を調整しシャワー浴を行う。アーム６には複数の第１の噴霧ノズル９を設けてあるので、入浴者の首からしたのほぼ全身を包み込むように３７〜４８℃程度の噴霧湯水１０が噴霧されるため、温熱効果が向上しリラックスできる。
【００２５】
また、予備暖房と同様に第２の噴霧ノズル１１から高温温水１２を浴室内に噴霧することにより浴室をミストサウナとしてサウナ浴をすることができる。高温水７の温度は６０℃程度にするため十分なサウナ効果が得られ、サウナ浴のあとは噴霧ノズル３からの噴霧湯水５の温度を低めに設定して入浴することにより清涼感が得られる
ミストサウナを楽しんだ後第２の噴霧ノズル１１から第１の噴霧ノズル９に噴霧を切り替える場合は配管内に高温水が溜まっているため噴霧始めに高温水が出る危険性があるが、その対策として排水電磁弁２１から高温水を排水した後に第１の噴霧ノズル９からの噴霧温水１０に切り替えることにより、ミストサウナ浴からシャワー浴に切り替える場合も安全であり快適な入浴をすることができる。
【産業上の利用可能性】
【００２６】
以上のように、本発明にかかるシャワー装置は、浴室の予備暖房を自動的に行うことができるものなので、人間が使用する浴室以外に動物用の洗浄装置等の用途にも適用できる。
【図面の簡単な説明】
【００２７】
【図１】本発明の実施の形態１におけるシャワー装置の斜視図
【図２】本発明の実施の形態１におけるシャワー装置の斜視図
【図３】本発明の実施の形態１におけるシャワー装置の斜視図
【図４】本発明の実施の形態１におけるシャワー装置のアームの軸の駆動の正面図
【図５】本発明の実施の形態１におけるシャワー装置の水回路のブロック図
【図６】従来のシャワー装置の斜視図
【符号の説明】
【００２８】
５  本体
６  アーム
９  第１の噴霧ノズル
１１  第２の噴霧ノズル
１６  給水配管
１７  給湯配管
１８  湯水混合部
１９  主電磁弁
２０  流調止水弁
２１  排水電磁弁
２２  第１のシャワー電磁弁
２３  第２のシャワー電磁弁
【図１】
2006271445.tif 000003
【図２】
2006271445.tif 000004
【図３】
2006271445.tif 000005
【図４】
2006271445.tif 000006
【図５】
2006271445.tif 000007
【図６】
2006271445.tif 000008